(57)【要約】【課題】簡単な操作で各マスに入る可能性のある候補数字を特定することができる。【解決手段】  候補数字特定補助具の外郭を構成する枠体と、前記枠体に設けられた所定領域に所定の間隔を空けて略並行に設置された複数のレールと、前記レール上に１つずつ設置され、ユーザ操作により該レール上を摺動する数字ピースと、を備える。【選択図】図１
2018078946.tif 000002
【特許請求の範囲】
【請求項１】
候補数字特定補助具の外郭を構成する枠体と、
前記枠体に設けられた所定領域に所定の間隔を空けて略並行に設置された複数のレールと、
前記レール上に１つずつ設置され、ユーザ操作により該レール上を摺動する数字ピースと、
を備えることを特徴とする候補数字特定補助具。
【請求項２】
請求項１に記載の候補数字特定補助具であって、
前記レールと略直交する向きで前記レールの一端付近に設置されたシャフトと、
前記シャフト周りに回転するロックカバーと、をさらに備える
ことを特徴とする候補数字特定補助具。
【請求項３】
請求項１または２に記載の候補数字特定補助具であって、
前記ロックカバーは、
前記枠体の外周付近に設けられた退避位置から前記所定領域に向かって前記シャフト周りに回転し、該所定領域内で前記数字ピースに被さる
ことを特徴とする候補数字特定補助具。
【請求項４】
請求項１〜３のいずれか一項に記載の候補数字特定補助具であって、
前記所定領域は、
前記レールに直交する向きに区画された３つの異なる領域を有する
ことを特徴とする候補数字特定補助具。
【請求項５】
請求項１〜４のいずれか一項に記載の候補数字特定補助具であって、
前記レールは、前記所定領域内に９本設置され、
前記数字ピースは各々、１〜９までのいずれか１つの数字を示している
ことを特徴とする候補数字特定補助具。
【請求項６】
請求項１〜５のいずれか一項に記載の候補数字特定補助具であって、
前記数字ピースは、
正面側上方向に突出した突起を有している
ことを特徴とする候補数字特定補助具。
【請求項７】
請求項１〜６のいずれか一項に記載の候補数字特定補助具であって、
前記数字ピースは、
前記レールを受け入れるレール受入溝または受入孔を有している
ことを特徴とする候補数字特定補助具。
【請求項８】
請求項１〜７のいずれか一項に記載の候補数字特定補助具であって、
前記ロックカバーは、
ロックカバー退避領域に位置する状態で、正面側上方向に突出した爪部を有している
ことを特徴とする候補数字特定補助具。
【請求項９】
請求項１〜８のいずれか一項に記載の候補数字特定補助具であって、
前記退避位置にある前記ロックカバーの爪部は、前記枠体の他の部分よりも低い位置に設けられた低領域に対向する
ことを特徴とする候補数字特定補助具。
【発明の詳細な説明】
【技術分野】
【０００１】
本発明は、候補数字特定補助具に関する。
【背景技術】
【０００２】
特許文献１には、パズルゲームの解答補助具が記載されている。
【先行技術文献】
【特許文献】
【０００３】
【特許文献１】特開２０１０−１４２５４０号公報
【発明の概要】
【発明が解決しようとする課題】
【０００４】
縦横各々３×３に並んだボックス内に配置されている縦横各々３×３のマスに対し、１〜９の数字を１度ずつ使って空いているマスを埋めるナンバープレースというゲームがある。ユーザは、ナンバープレースの盤面に最初から記されているヒント数字をもとに各マスに入る候補数字を推定する。しかしながら、ユーザは、上記ルールに従いながらヒント数字などを考慮して候補数字を特定する必要があるため、各マスに入る候補数字を記憶したり、候補数字に誤りや漏れがないようにすることは難しい場合がある。なお、上記特許文献１には、ナンバープレースの解答補助具が記載されているものの、各マスに入る複数の候補数字を特定することについては記載がない。
【０００５】
本発明は、上記課題に鑑みてなされたものであり、簡単な操作で各マスに入る可能性のある候補数字を特定できる候補数字特定補助具の提供を目的とする。
【課題を解決するための手段】
【０００６】
上記課題を解決するため、本発明の一態様に係る候補数字特定補助具は、候補数字特定補助具の外郭を構成する枠体と、前記枠体に設けられた所定領域に所定の間隔を空けて略並行に設置された複数のレールと、前記レール上に１つずつ設置され、ユーザ操作により該レール上を摺動する数字ピースと、を備える。
【０００７】
また、候補数字特定補助具は、前記レールと略直交する向きで前記レールの一端付近に設置されたシャフトと、前記シャフト周りに回転するロックカバーと、をさらに備えても良い。
【０００８】
また、前記ロックカバーは、前記枠体の外周付近に設けられた退避位置から前記所定領域に向かって前記シャフト周りに回転し、該所定領域内で前記数字ピースに被さるようにしても良い。
【０００９】
また、前記所定領域は、前記レールに直交する向きに区画された３つの異なる領域を有しても良い。
【００１０】
また、前記レールは、前記所定領域内に９本設置され、前記数字ピースは各々、１〜９までのいずれか１つの数字を示しても良い。
【００１１】
また、前記数字ピースは、正面側上方向に突出した突起を有しても良い。
【００１２】
また、前記数字ピースは、前記レールを受け入れるレール受入溝または受入孔を有しても良い。
【００１３】
また、前記ロックカバーは、退避領域に位置する状態で、正面側上方向に突出した爪部を有しても良い。
【００１４】
また、前記退避位置にある前記ロックカバーの爪部は、前記枠体の他の部分よりも低い位置に設けられた低領域に対向しても良い。
【発明の効果】
【００１５】
本発明に係る候補数字特定補助具は、簡単な操作で各マスに入る可能性のある候補数字を特定することができる。なお、上記した以外の課題、構成および効果は、以下の実施形態の説明により明らかにされる。
【図面の簡単な説明】
【００１６】
【図１】図１は、候補数字特定補助具の全体構成の一例を示した斜視図である。
【図２】図２は、候補数字特定補助具の使用状態の一例を示した図である。
【図３】図３は、候補数字特定補助具の正面図である。
【図４】図４は、枠体の正面図である。
【図５】図５は、Ａ−Ａ線で切断した枠体の断面図である。
【図６】図６は、操作プレートの正面図である。
【図７】図７は、Ｂ−Ｂ線で切断した操作プレートの側面図である。
【図８】図８（ａ）は、数字ピースの正面図である。図８（ｂ）は、数字ピースの背面図である。
【図９】図９は、Ｃ−Ｃ線で切断した数字ピースの断面図である。
【図１０】図１０は、レール上に設置された数字ピースを示した斜視図である。
【図１１】図１１（ａ）は、シャフト体の正面図である。図１１（ｂ）は、シャフト体の一部を示した斜視図である。
【図１２】図１２（ａ）は、ロックカバーの正面図である。図１２（ｂ）は、ロックカバーの背面図である。
【図１３】図１３は、ロックカバーの斜視図である。
【図１４】図１４は、候補数字特定補助具の断面を示した側面図である。
【図１５】図１５は、ナンバープレースの盤面を示した図である。
【図１６】図１６は、使用開始時における数字ピースおよびロックカバーの位置を示した候補数字特定補助具の簡略図である。
【図１７】図１７は、ナンバープレースの一事例の盤面を示した図である。
【図１８】図１８（ａ）、（ｂ）は、候補数字を特定する際の数字ピースの遷移例を示した図である。
【図１９】図１９（ａ）、（ｂ）は、候補数字を特定する際の数字ピースの遷移例を示した図である。
【発明を実施するための形態】
【００１７】
以下、本発明の一実施形態について図面を用いて説明する。
【００１８】
図１は、本実施形態に係る候補数字特定補助具１００の全体構成の一例を示した斜視図である。図２は、候補数字特定補助具１００の使用状態の一例を示した図である。候補数字特定補助具１００は、ナンバープレース（縦横各々３×３に並んだボックス内に配置されている縦横各々３×３のマスに対し、ヒントとなる数字をもとに１〜９の数字を１度ずつ使って空いているマスを埋めるゲーム）の各マスに入る候補数字の特定に用いるための器具である。
【００１９】
図３は、候補数字特定補助具１００の正面図である。図示するように、候補数字特定補助具１００は、枠体１０と、操作プレート２０と、数字ピース３０と、シャフト体４０と、ロックカバー５０とを有し、これらの各パーツが組み合わせられて構成されている。
【００２０】
図４は、枠体１０の正面図である。図５は、図４のＡ−Ａ線で切断した枠体１０の断面図である。枠体１０は、候補数字特定補助具１００の外郭を構成する直方体の部材である。図示するように、枠体１０は、正面側の略中央に所定面積を占める矩形の操作プレート設置部１１と、ロックカバー退避領域１２とを有している。
【００２１】
操作プレート設置部１１は、操作プレート２０を設置するための矩形の領域であって、枠体１０の正面側表面から数ｍｍ〜十数ｍｍ程度凹んだ位置に形成されている。
【００２２】
ロックカバー退避領域１２は、ロックカバー５０を退避させておくための領域であって、操作プレート設置部１１の外側下部（候補数字特定補助具１００の下部）に設けられている。
【００２３】
また、ロックカバー退避領域１２には、枠体１０の左右方向（図４では、候補数字特定補助具１００の長手方向）に伸び、正面側表面の高さよりも数ｍｍ程度低い低領域１３が設けられている。低領域１３は、ロックカバー退避領域１２に移動したロックカバー５０の一部（後述する爪部）に対向する位置に設けられている。枠体１０の表面と低領域１３との間に高低差が設けられることにより、低領域１３の表面とロックカバー５０との間に隙間が形成されるため、ロックカバー退避領域１２にあるロックカバー５０に指を引っ掛け易い構造となっている。
【００２４】
図６は、操作プレート２０の正面図である。図７は、図６のＢ−Ｂ線で切断した操作プレート２０の側面図である。操作プレート２０は、ユーザが数字ピース３０を操作するための基盤である。図示するように、操作プレート２０は、平面部２１と、レール２２とを有している。
【００２５】
平面部２１は、操作プレート２０の土台となる部材である。平面部２１は、操作プレート設置部１１と略同じ大きさに形成された矩形の薄板状をしている。平面部２１は、背面側表面に固着剤が塗布され、操作プレート設置部１１に固定される。
【００２６】
レール２２は、数字ピース３０を操作プレート２０上で摺動可能に設置するための部材である。レール２２は、平面部２１の上下方向（図６（ａ）では、操作プレート２０の短手方向の長さを有する）に細長い直方体であり、矩形（例えば、正方形または長方形）の断面形状をしている。レール２２は、平面部２１の正面側表面に所定の間隔を開けて略並行に複数（例えば、９本）設置されている。
【００２７】
このような操作プレート２０は、レール２２の長手方向に略直交する３つの領域で区画され、各領域を識別する着色が施されている。これらの領域は各々、列枠領域２３と、確定枠領域２４と、ロック枠領域（行・ブロック領域）２５とを示している。ユーザは、ヒント数字を含むナンバープレースの盤面を確認しながら各領域に数字ピース３０を移動させることにより、マスの候補数字を特定していく。なお、候補数字特定補助具１００の詳細な使用方法については後述する。
【００２８】
図８（ａ）は、数字ピース３０の正面図である。図８（ｂ）は、数字ピース３０の背面図である。図９は、図８（ａ）のＣ−Ｃ線で切断した数字ピース３０の断面図である。図１０は、レール２２上に設置された数字ピース３０を示した斜視図である。数字ピース３０は、ナンバープレースの各マスに入る候補数字を示し、ユーザ操作によってレール２２上を上下方向（図１０の矢印方向）に摺動する直方体の部材である。図示するように、数字ピース３０は、１〜９までの異なる数字が記された９種類があり、ピース本体３１と、突起３２と、レール受入溝３３とを有している。
【００２９】
ピース本体３１は、候補数字が記された直方体の部材である。
【００３０】
突起３２は、指で数字ピース３０を摺動し易くするための部分である。突起３２は、ピース本体３１の正面側上方向に突出した形状をしており、ピース本体３１の上側端部付近に設けられている。
【００３１】
レール受入溝３３は、操作プレート２０上で数字ピース３０を設置するレール２２を受け入れるための溝である。レール受入溝３３は、数字ピース３０の上下方向に伸び、レール２２と略同じ幅（レール２２と同様に矩形の断面形状）でピース本体３１の背面側に形成されている。なお、溝の深さは特に限定されるものではない。
【００３２】
このような数字ピース３０は、レール受入溝３３にレール２２が当接するように設置される。
【００３３】
なお、レール２２およびレール受入溝３３の断面形状は矩形に限定されるものではなく、例えば、逆台形（下底よりも上底が長い台形）をしていても良い。このようなレール受入溝３３の数字ピース３０がレール２２に摺動可能に嵌め込まれると、レール受入溝３３の上底両端がレール２２の上底両端に引っ掛かるため、摺動中に数字ピース３０がレール２２から外れる虞がない。
【００３４】
また、数字ピース３０は、レール受入溝３３の代わりに、ピース本体３１を数字ピース３０の上下方向に貫通する受入孔を有していても良い。例えば、平面部２１の短手方向の両端に設置された土台上に、平面部２１との間に隙間を空けてレール２２が設置されている場合、数字ピース３０は、かかるレール２２を受入孔に通した状態でレール２２上に摺動可能に設置されれば良い。このような数字ピース３０は、レール２２から外れる虞がない。
【００３５】
図１１（ａ）は、シャフト体４０の正面図である。図１１（ｂ）は、シャフト体４０の一部を示した斜視図である。シャフト体４０は、軸回りにロックカバー５０を回転可能に固定する部材である。図示するように、シャフト体４０は、台座４１と、シャフト４２とを有している。
【００３６】
台座４１は、枠体１０上にシャフト４２を固定するための部材である。台座４１は、半円形に形成され、略中央にシャフト４２を嵌め込むシャフト受入穴が設けられている。台座４１は、シャフト受入穴にシャフト４２を嵌め込んだ状態で枠体１０の正面側左右に各々１つずつ設置される。なお、台座４１の形状は半円形に限定されるものではなく、例えば直方体などであっても良い。
【００３７】
シャフト４２は、ロックカバー５０の回転軸となる部材である。シャフト４２は、細長い円柱または円筒形をしている。シャフト４２は、後述するように、ロックカバー５０のシャフト挿入部に通され、台座４１のシャフト受入穴に嵌め込まれた状態で枠体１０上に設置される。
【００３８】
図１２（ａ）は、ロックカバー５０の正面図である。図１２（ｂ）は、ロックカバー５０の背面図である。図１３は、ロックカバー５０の斜視図である。ロックカバー５０は、マスを埋める候補となり得ない数字の数字ピース３０をロックするための部材である。図示するように、ロックカバー５０は、カバー本体５１と、爪部５２と、シャフト挿入部５３とを有している。
【００３９】
カバー本体５１は、操作プレート２０の領域内で操作プレート２０の下側に移動した数字ピース３０に被さる部材である。カバー本体５１は、例えば、透過性のあるプラスチック材を用いて数字ピース３０と略同じ大きさに形成された矩形の薄板状をしている。カバー本体５１は、下側端部（爪部５２の逆側端部）に固着剤が塗布され、シャフト挿入部５３の所定位置に固定される。
【００４０】
爪部５２は、ロックカバー５０を指で引っ掛け易くしたり、操作プレート設置部１１の領域内で数字ピース３０の突起３２に引っ掛かり、数字ピース３０が容易に確定枠領域２４や列枠領域２３に移動してしまうのを防止するための部分である。爪部５２は、ロックカバー５０がロックカバー退避領域１２に位置する状態で、正面側上方向に突出した形状をしており、カバー本体５１の上側端部付近に設けられている。
【００４１】
シャフト挿入部５３は、シャフト４２を挿入する筒状の部材である。シャフト挿入部５３の外周面には、カバー本体５１が固定され、シャフト４２に通された状態で枠体１０上に配置される。
【００４２】
図１４は、候補数字特定補助具１００の断面を示した側面図である。図示するように、枠体１０には、操作プレート２０と、枠体１０に設置されたシャフト体４０とが固定され、ロックカバー５０が矢印方向に回転可能にシャフト体４０に固定されている。
【００４３】
このような候補数字特定補助具１００は、レール２２上に設置されている数字ピース３０を矢印方向に摺動することができる。また、シャフト４２に通されたロックカバー５０をシャフト４２の軸回りに回転させることができる。
【００４４】
次に、候補数字特定補助具１００の使用方法について説明する。
【００４５】
図１５は、ナンバープレースの盤面２００を示した図である。ナンバープレースの盤面２００は、縦３列、横３行の計９ブロックを有している。また、各ブロックは、縦３列、横３行の計９マスを有している。
【００４６】
ナンバープレースのルールは以下の通りである。
１．どの縦一列にも１〜９の数字が１つずつ入る。
２．どの横一行にも１〜９の数字が１つずつ入る。
３．どのブロックの各マスにも１〜９の数字が１つずつ入る。
【００４７】
ユーザは、上述のルールに従って空いている各マスに１〜９のいずれか１つの数字を入れて、全てのマスを埋めることで盤面を完成させる。ナンバープレースでは、通常、幾つかのヒント数字が予め記されている。ユーザは、ヒント数字を頼りに、各マスに入る可能性のある候補数字を推定し、盤面を埋めていく。候補数字特定補助具１００は、かかる候補数字を特定する際に用いる。
【００４８】
図１６は、使用開始時における数字ピース３０およびロックカバー５０の位置を示した候補数字特定補助具１００の簡略図（シャフト体４０を省略）である。ユーザは、ナンバープレースを始める際に、全ての数字ピース３０を確定枠領域２４に配置し、ロックカバー５０をロックカバー退避領域１２に配置する。
【００４９】
図１７は、ナンバープレースの一事例の盤面２１０を示した図である。なお、盤面２１０の外側のａ〜ｉおよび１〜９は各々、盤面２１０の行および列の位置を示す符号であって、候補数字特定補助具１００の使用方法を説明するために付した符号である。
【００５０】
ユーザは、候補数字特定補助具１００を用いてどのマスの候補数字から特定し始めても良いが、本実施形態では、より効率的な特定方法について説明する。具体的には、ユーザは、盤面２１０の左上ブロックＡの左上端のマス（ａ行１列目のマス）に入る候補数字から順に右隣りのマスの候補数字を特定する。なお、かかる一行の全てのマスの候補数字を特定した後、ユーザは、同様の方法により、次の行ｂの左端のマス（ｂ行１列目のマス）から順に右隣りのマスの候補数字を特定する。
【００５１】
以下、図１７のナンバープレースの盤面を用いた場合の数字ピース３０の遷移例について説明する。
【００５２】
図１８（ａ）は、ａ行１列目のマスの候補数字を特定する際の数字ピース３０の遷移例を示した図である。ユーザは、対象マス（ａ行１列目のマス）の候補数字を特定する場合、対象マスが含まれる行（以下、「関連行」といい、本例ではａ行）のヒント数字（本例では、「３」）を特定する。そして、ユーザは、特定したヒント数字に対応する数字ピース３０（「３」が記された数字ピース３０）をロック枠領域２５に移動させ、ロックカバー５０をかける。ユーザは、ロック枠領域２５に移動させた数字ピース３０の下側にあるロックカバー５０の爪部５２に指を引掛け、シャフト４２周りにロックカバー５０を回転させて数字ピース３０にロックカバー５０を被せる。
【００５３】
次に、ユーザは、対象マスが含まれる対象ブロック（本例では、ブロックＡ）内のヒント数字（本例では、「１」、「４」および「７」）を特定する。そして、ユーザは、特定したヒント数字に対応する数字ピース３０（「１」、「４」および「７」が記された数字ピース３０）をロック枠領域２５に移動させる。
【００５４】
次に、ユーザは、対象マスが含まれる列（以下、「関連列」といい、本例では１列目）のヒント数字（本例では、「２」、「５」および「９」）を特定する。そして、ユーザは、特定したヒント数字に対応する数字ピース３０を列枠領域２３に移動させる。
【００５５】
こうして確定枠領域に残った数字ピース３０の数字（本例では、「６」および「８」）が対象マスの候補数字として特定される。なお、ユーザは、特定した候補数字を対象マス内に書き込むなどして、特定した候補数字を記録すれば良い。
【００５６】
図１８（ｂ）は、ａ行２列目のマスの候補数字を特定する際の数字ピース３０の遷移例を示した図である。ユーザは、対象マス（ａ行２列目のマス）が直前の対象マスと同じ行（ａ行）およびブロック（ブロックＡ）に含まれる場合、列枠領域２３にある全ての数字ピース３０を確定枠領域２４に戻した上で、候補数字の特定を始める。すなわち、ロック枠領域２５に移動させた「１」、「３」、「４」および「７」の数字ピース３０を確定枠領域２４に戻さない状態で対象マスの候補数字の特定が開始される。
【００５７】
ユーザは、関連列（本例では２列目）のヒント数字（本例では、「４」、「６」および「７」）を特定する。そして、ユーザは、特定したヒント数字に対応する数字ピース３０を列枠領域２３に移動させる。なお、数字ピース３０「４」および「７」は、既にロック枠領域２５に移動しているため、ユーザは、それら以外のヒント数字「６」に対応する数字ピース３０を列枠領域２３に移動させる。
【００５８】
こうして確定枠領域２４に残った数字ピース３０の数字（本例では、「２」、「５」、「８」および「９」）が対象マスの候補数字として特定される。ユーザは、特定した候補数字を対象マス内に書き込むなどして、特定した候補数字を記録する。
【００５９】
図１９（ａ）は、ｅ行３列目のマスの候補数字を特定する際の数字ピース３０の遷移例を示した図である。ユーザは、対象マス（ｅ行３列目のマス）が直前の対象マス（ｅ行１列目およびｅ行２列目）と同じ行（ｅ行）およびブロック（ブロックＢ）に含まれる場合、列枠領域２３にある全ての数字ピース３０を確定枠領域２４に戻した上で、候補数字の特定を始める。すなわち、ｅ行１列目およびｅ行２列目の候補数字の特定時にロック枠領域２５に移動させた「１」、「２」、「５」、「７」および「９」の数字ピース３０を確定枠領域２４に戻さない状態で対象マスの候補数字の特定が開始される。なお、「１」、「５」および「７」の数字ピース３０には、ロックカバー５０が被せられた状態である。
【００６０】
ユーザは、関連列（本例では３列目）のヒント数字（本例では、「１」、「４」および「９」）を特定する。そして、ユーザは、特定したヒント数字に対応する数字ピース３０を列枠領域２３に移動させる。なお、数字ピース３０「１」および「９」は、既にロック枠領域２５に移動しているため、ユーザは、それら以外のヒント数字「４」に対応する数字ピース３０を列枠領域２３に移動させる。
【００６１】
こうして確定枠領域２４に残った数字ピース３０の数字（本例では、「３」、「６」および「８」）が対象マスの候補数字として特定される。ユーザは、特定した候補数字を対象マス内に書き込むなどして、特定した候補数字を記録する。
【００６２】
図１９（ｂ）は、ｅ行４列のマスの候補数字を特定する際の数字ピース３０の遷移例を示した図である。ユーザは、対象マス（ｅ行４列目のマス）が直前の対象マスと異なるブロック（ブロックＣ）に含まれるため、ロックカバー５０がされていない数字ピース３０を全て確定枠領域２４に戻した上で、候補数字の特定を始める。すなわち、「１」、「５」および「７」の数字ピース３０のみがロック枠領域２５に移動した状態で対象マスの候補数字の特定が開始される。
【００６３】
ユーザは、対象マスが含まれる対象ブロック（本例では、ブロックＣ）内のヒント数字（本例では、「６」）を特定する。そして、ユーザは、特定したヒント数字に対応する数字ピース３０をロック枠領域２５に移動させる。
【００６４】
次に、ユーザは、関連列（本例では４列目）のヒント数字（本例では、「６」および「８」）を特定する。そして、ユーザは、特定したヒント数字に対応する数字ピース３０を列枠領域２３に移動させる。なお、数字ピース３０「６」は、既にロック枠領域２５に移動しているため、ユーザは、それら以外のヒント数字「８」に対応する数字ピース３０を列枠領域２３に移動させる。
【００６５】
こうして確定枠領域２４に残った数字ピース３０の数字（本例では、「２」、「３」、「４」および「９」）が対象マスの候補数字として特定される。ユーザは、特定した候補数字を対象マス内に書き込むなどして、特定した候補数字を記録する。
【００６６】
なお、一行に含まれる全てのマスについて候補数字を特定した場合、ユーザは、ロックカバー５０が被せられた数字ピース３０を含む全ての数字ピース３０を確定枠領域２４に移動させ、次の対象マス（例えば、次の行の左端のマス）に入る候補数字の特定を開始する。
【００６７】
このようにして、候補数字特定補助具１００は、候補数字を特定する際に役立てられる。
【００６８】
その後、ユーザは、どの縦一列、どの横一行およびブロック内のどのマスにも同じ数字が入らないように各マスの特定した候補数字の中から適切な数字を決定し、盤面２１０を完成させる。
【００６９】
以上、本実施形態に係る候補数字特定補助具１００について説明した。このような候補数字特定補助具１００によれば、簡単な操作で各マスに入る可能性のある候補数字を特定することができる。また、ロックカバー５０は、シャフト４２周りに回転し、ロック枠領域２５に移動した数字ピース３０に被さる。これにより、ロックカバー５０の爪部５２が数字ピース３０の突起３２に引っ掛かり、数字ピース３０が容易に確定枠領域２４や列枠領域２３に移動してしまうのを防止できる。
【００７０】
なお、枠体１０、操作プレート２０、数字ピース３０、シャフト体４０およびロックカバー５０の大きさおよび材質は特に限定されるものではなく、例えばプラスチック材や木材など一定の強度があり、かつ、加工し易い素材から形成されれば良い。
【００７１】
また、前述の実施形態では、操作プレート２０の平面部２１およびレール２２は別個の部材として説明したが、プレス加工など所定の方法により、平面部２１およびレール２２が一体形成されたものであっても良い。また、枠体１０と、平面部２１と、レール２２とが一体形成されたものであっても良い。
【００７２】
また、前述の実施形態では、左上端のマスに入る候補数字から順に右隣りのマスの候補数字を特定し、かかる一行の全てのマスの候補数字を特定した後、次の行ｂの左端のマスから順に右隣りのマスの候補数字を特定した。しかしながら、候補数字特定補助具の使用方法はこれに限られず、例えば、左上端のマスに入る候補数字から順に下隣のマスの候補数字を特定し、かかる一列の全てのマスの候補数字を特定した後、次の列（右隣の列）の上端のマスから順に下隣のマスの候補数字を特定するようにしても良い。
【００７３】
この場合、ユーザは、対象マスの関連列のヒント数字をロック枠領域２５に移動させてロックカバー５０を被せる。また、ユーザは、対象マスと同じブロックのヒント数字をロック枠領域２５に移動させる。また、ユーザは、対象マスの関連行のヒント数字を行枠領域２３（前述の実施形態では、「列枠領域２３」として説明した領域）に移動させる。そして、確定枠領域２４に残った数字が候補数字となる。
【００７４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加、削除、置換をすることが可能である。
【符号の説明】
【００７５】
１００・・・候補数字特定補助具、１０・・・枠体、１１・・・操作プレート設置部、
１２・・・ロックカバー退避領域、１３・・・低領域、２０・・・操作プレート、
２１・・・平面部、２２・・・レール、２３・・・列枠領域、２４・・・確定枠領域、
２５・・・ロック枠領域、３０・・・数字ピース、３１・・・ピース本体、
３２・・・突起、３３・・・レール受入溝、４０・・・シャフト体、４１・・・台座、
４２・・・シャフト、５０・・・ロックカバー、５１・・・カバー本体、５２・・・爪部、
５３・・・シャフト挿入部、２００・・・ナンバープレースの盤面、
２１０・・・ナンバープレースの盤面（事例）
【図１】
2018078946.tif 000003
【図２】
2018078946.tif 000004
【図３】
2018078946.tif 000005
【図４】
2018078946.tif 000006
【図５】
2018078946.tif 000007
【図６】
2018078946.tif 000008
【図７】
2018078946.tif 000009
【図８】
2018078946.tif 000010
【図９】
2018078946.tif 000011
【図１０】
2018078946.tif 000012
【図１１】
2018078946.tif 000013
【図１２】
2018078946.tif 000014
【図１３】
2018078946.tif 000015
【図１４】
2018078946.tif 000016
【図１５】
2018078946.tif 000017
【図１６】
2018078946.tif 000018
【図１７】
2018078946.tif 000019
【図１８】
2018078946.tif 000020
【図１９】
2018078946.tif 000021
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
候補数字特定補助具の外郭を構成する枠体と、
前記枠体に設けられた所定領域に所定の間隔を空けて略並行に設置された複数のレールと、
前記レール上に１つずつ設置され、ユーザ操作により該レール上を摺動する数字ピースと、
を備えることを特徴とする数字パズルのための候補数字特定補助具。
【請求項２】
請求項１に記載の候補数字特定補助具であって、
前記レールと略直交する向きで前記レールの一端付近に設置されたシャフトと、
前記シャフト周りに回転するロックカバーと、をさらに備える
ことを特徴とする数字パズルのための候補数字特定補助具。
【請求項３】
請求項１または２に記載の候補数字特定補助具であって、
前記ロックカバーは、
前記枠体の外周付近に設けられた退避位置から前記所定領域に向かって前記シャフト周りに回転し、該所定領域内で前記数字ピースに被さる
ことを特徴とする数字パズルのための候補数字特定補助具。
【請求項４】
請求項１〜３のいずれか一項に記載の候補数字特定補助具であって、
前記所定領域は、
前記レールに直交する向きに区画された３つの異なる領域を有する
ことを特徴とする数字パズルのための候補数字特定補助具。
【請求項５】
請求項１〜４のいずれか一項に記載の候補数字特定補助具であって、
前記レールは、前記所定領域内に９本設置され、
前記数字ピースは各々、１〜９までのいずれか１つの数字を示している
ことを特徴とする数字パズルのための候補数字特定補助具。
【請求項６】
請求項１〜５のいずれか一項に記載の候補数字特定補助具であって、
前記数字ピースは、
正面側上方向に突出した突起を有している
ことを特徴とする数字パズルのための候補数字特定補助具。
【請求項７】
請求項１〜６のいずれか一項に記載の候補数字特定補助具であって、
前記数字ピースは、
前記レールを受け入れるレール受入溝または受入孔を有している
ことを特徴とする数字パズルのための候補数字特定補助具。
【請求項８】
請求項１〜７のいずれか一項に記載の候補数字特定補助具であって、
前記ロックカバーは、
ロックカバー退避領域に位置する状態で、正面側上方向に突出した爪部を有している
ことを特徴とする数字パズルのための候補数字特定補助具。
【請求項９】
請求項１〜８のいずれか一項に記載の候補数字特定補助具であって、
前記退避位置にある前記ロックカバーの爪部は、前記枠体の他の部分よりも低い位置に設けられた低領域に対向する
ことを特徴とする数字パズルのための候補数字特定補助具。
【手続補正２】
【補正対象書類名】明細書
【補正対象項目名】０００６
【補正方法】変更
【補正の内容】
【０００６】
上記課題を解決するための本発明の一態様は、数字パズルのための候補数字特定補助具であって、候補数字特定補助具の外郭を構成する枠体と、前記枠体に設けられた所定領域に所定の間隔を空けて略並行に設置された複数のレールと、前記レール上に１つずつ設置され、ユーザ操作により該レール上を摺動する数字ピースと、を備える。